(57)【要約】【課題】  本発明は、薬液を散布する対象により散布範囲や散布の勢い等の散布パターンを調整できることで、薬液を効率よく散布する茶園管理機の送風式薬剤散布装置を提供することを課題とする。【解決手段】本発明では第一手段として、茶畝を挟んだ門型枠で構成された機体と、その左右下端部に走行装置を有する茶園管理機において、送風ファンと薬液タンクと、該送風ファンに接続した複数の送風吹出し口を有する送風ダクトと、該送風ダクト内に設けられた前記薬液タンクからの薬液が流れる薬液導管と、該薬液導管には前記送風吹き出し口と対向する噴出しノズルが備えられ、前記薬液導管は前記送風ダクトの長手方向に対して略垂直方向に可逆に可動するように構成されてなることを特徴とした茶園管理機における送風式薬液散布装置を設けることである。【選択図】図３
2010200703.tif 000002
【特許請求の範囲】
【請求項１】
茶畝を挟んだ門型枠で構成された機体と、その左右下端部に走行装置を有する茶園管理機において、送風ファンと薬液タンクと、該送風ファンに接続した複数の送風吹出し口を有する送風ダクトと、該送風ダクト内に設けられた前記薬液タンクからの薬液が流れる薬液導管と、該薬液導管には前記送風吹き出し口と対向する噴出しノズルが備えられ、前記薬液導管は前記送風ダクトの長手方向に対して略垂直方向に可逆に可動するように構成されてなることを特徴とした茶園管理機における送風式薬液散布装置
【請求項２】
前記噴出ノズルの形状は噴出しノズルの先端部である薬液噴出し口を頂点とする略錐体であることを特徴とした請求項１記載の茶園管理機における送風式薬液散布装置  
【発明の詳細な説明】
【技術分野】
【０００１】
この発明は茶畝を挟んだ２本の走行装置を門型枠でつなぎ、茶畝に沿って移動しながら茶園の防除作業を行なう茶園管理機における送風式薬剤散布装置に関する。
【背景技術】
【０００２】
従来、茶樹の薬液散布に用いられる送風式茶園防除機は、茶畝を跨いだ機枠に大きな薬液タンクをのせて、機体後部には散布装置が取り付けてある。薬液を茶樹にむけて霧状にして散布する方法として、特許文献１、２のように送風ファンに接続した吹出しノズルと薬液タンクを含む防除用薬液供給装置を設け、送風経路上へ防除用の薬液を注入し、送風ファンからの高速気流によって、茶樹に薬液をミスト状にして散布する送風式の方法がある。
【先行技術文献】
【特許文献】
【０００３】
【特許文献１】特開２００３−３１０１３２号公報
【特許文献２】特開２００６−２０５３７号公報
【発明の概要】
【発明が解決しようとする課題】
【０００４】
茶に寄生する病害虫は様々おり、寄生する場所も茶葉表面および茶樹内部の幹や小枝に寄生するなど様々である。前記送風式の方法では、高速気流によって勢いよく茶樹に散布することで、茶樹内部にまで散布され、特に茶樹内部の幹や枝等に寄生する病害虫には有効である。しかしながら、薬液の散布対象が茶葉表面に寄生する病害虫の場合には内部まで散布する必要がなく、薬液を内部に届くように勢いよく散布することは薬剤の無駄使いにつながる。
【０００５】
この発明の課題は、薬液を散布する対象により散布範囲、散布の勢いや距離等の散布パターンを調整できることで、薬液を効率よく散布する茶園管理機の送風式薬剤散布装置を提供することを課題とする。
【課題を解決するための手段】
【０００６】
本発明の請求項１では  茶畝を挟んだ門型枠で構成された機体と、その左右下端部に走行装置を有する茶園管理機において、送風ファンと薬液タンクと、該送風ファンに接続した複数の送風吹出し口を有する送風ダクトと、該送風ダクト内に設けられた前記薬液タンクからの薬液が流れる薬液導管と、該薬液導管には前記送風吹き出し口と対向する噴出しノズルが備えられ、前記薬液導管は前記送風ダクトの長手方向に対して略垂直方向に可逆に可動するように構成されてなることを特徴とした茶園管理機における送風式薬液散布装置である。このことは、簡単な操作で、薬液が高速気流中に注入される位置を変更し、茶樹にむけた薬液の散布パターンを変化させることができる。  
【０００７】
本発明の請求項２は前記噴出ノズルの形状は略錐体であることを特徴とした送風式薬液散布装置である。注入位置によるものだけでなく、吹出しノズル先端の送風吹出し口からの突出の具合で吹出し口の面積が増減することで送風吹出し口の気流圧が調整され、茶樹にむけた薬液の散布パターンを変化させることができる。
【発明の効果】
【０００８】
本発明の茶園管理機の送風式薬液散布装置は、薬液の散布範囲や距離の散布パターンが変更できることで、防除する対象物に適した条件（薬剤付着がよく散布ムラがない等）で効率よく散布することができる。また、使用薬液量の減少で経済的となり、操作も簡便なので迅速に対応でき、作業時間の短縮が可能となる。
【図面の簡単な説明】
【０００９】
【図１】本発明の薬液散布装置を茶畝上面に備えた送風式薬剤散布機の背面図
【図２】本発明の薬液散布装置を茶畝側面に備えた送風式薬剤散布機の背面図
【図３】本発明の薬液散布装置要部の送風ダクトの側面図
【図４】送風ダクト蓋面からみた送風ダクトの図
【図５】送風吹出し口の面からみた送風ダクトの図
【図６】薬液注入部拡大図
【図７】薬液注入部拡大図
【図８】本発明の薬液散布装置を備えた乗用型茶園摘採機
【発明を実施するための形態】
【００１０】
以下、本発明の実施形態について図面に基づいて説明する。図１は送風ダクト７を茶畝４上表面に合わせるように設けた茶園管理機である送風式茶園防除機の背面図である。送風式茶園防除機１は、左右の走行装置２を門型枠３でつなぎ、茶畝４をまたいで走行する。門型枠３の上部前方には送風ファン５を設置し、中央上部には薬液タンク６が設けてある。送風ホース８を介して送風ファン５と連結している送風ダクト７は、後部の門型枠３に支持枠や板状材等の取付け部材（未表示）を介して架設されている。図２は送風ダクト７を茶畝４の畝間に左右対称に設置した送風式茶園防除機の背面図である。送風ダクト７は、茶畝４の形状にあわせて、送風ダクト７長手方向の下側を長手方向上側より機械の中央部にむけてもよい。
【００１１】
図３、図４、図５は送風ダクト７の図である。筒状の送風ダクト７の長手方向の一方側は送風ホース８が接続し、他方側を蓋１１が取り付けられている。送風ダクト７の長手方向に沿って複数の送風吹出し口９が略一直線に並んで備えられ、茶畝４に向けられる。送風ダクト７内略中心部を長手方向にのびた薬液導管１０ａは、各々の送風吹出し口９にむいた複数の薬液ノズル１３を有し、この薬液ノズル１３は薬液導管長手方向に略一直線に並んでいる。薬液ノズル１３は薬液吐出し口１４を頂点とする略円錐等の略錘体を含む形状で、図５で示すように薬液吐出し口１４は送風吹出し口９の略中心軸上にあることが望ましい。  
【００１２】
薬液導管１０ａ端部に設けられた支持棒１２ａは送風吹出し口９の方向を長手とする角丸矩形の孔２４があけられた蓋１１を嵌通し、ネジ２１で固定される。送風ホース８接続側では送風ダクトの長手方向に対して略垂直方向に曲げられた薬液導管１０ｂは、送風ダクト７側面および固定具２３を嵌通し、固定具の固定ネジ２２により係止される。薬液導管１０ｂは薬液ホース１６を介して薬液タンク６に接続される。送風ダクト７の送風吹出し口９と対向する位置から支持棒１２ｂを取り付けてもよい。
【００１３】
次に、本発明の送風式茶園防除機１の薬液散布装置の作用および効果について説明する。送風ファン５からの風は送風ホース、送風ダクト７を介して送風吹出し口９より吹出される。薬液タンク６の薬液は、低圧ポンプ１７により薬液ホース１６を介して薬液導管１０を流れ、複数の薬液ノズル１３の薬液吐出し口１４から送風吹出し口９近傍に注入され、強制的に送り出される強い風によりミスト状に茶樹に散布される。
【００１４】
薬液導入管１０ａ、１０ｂは、図３、図４で示す矢印方向（送風ダクトの長手方向に対して略垂直方向）に可逆に可動し、薬液ノズル１３および薬液吐出し口１４は、送風吹出し口９との距離が任意の位置でネジ２１、２２により固定される。薬液ノズルの位置の一例として、図６は薬液吐出し口１４が送風ダクト７の内側にある場合、図７は薬液吐出し口１４が送風ダクトの外側にある場合である。略錘体をした薬液ノズル１３と送風吹出し口９との距離がAA＞BBとなっている。図６と図７の状態を比較すると、図６は送風吹出し口９での風圧は弱いがミスト状の薬液の散布範囲は広がる一方、図７では送風吹出し口９での風が吹出される範囲が狭くなり風圧は強く、ミスト状の薬液の散布される範囲は狭いが遠くまで吹出すこととなる。
【００１５】
図８は門型枠３の下方に摘採装置１８および上下昇降をする茶袋保持台２０が取り付けられている茶園管理機である乗用型茶園摘採機に薬液タンク６を設置し送風式茶園防除機１とした例である。摘採時には摘採装置１８に接続されている送風ファン５と送風ホース８を介して接続された送風ダクト７を、門型枠３にそって上下昇降をする茶袋保持台２０後部に支持杆１９を介して架設する。これによって、送風ダクトが地面に対して垂直方向に移動可能となり、薬液散布範囲が広がる。
【符号の説明】
【００１６】
１  送風式茶園防除機 
２  走行装置
３  門型枠      
４  茶畝         
５  送風ファン  
６  薬液タンク  
７  送風ダクト  
８  送風ホース 
９  送風吹出し口         
１０a、１０ｂ  薬液導管  
１１     蓋        
１２ａ、１２ｂ  支持棒     
１３  薬液ノズル          
１４  薬液吐出し口      
１５  固定ネジ
１６  薬液ホース
１７  低圧ポンプ
１８  摘採装置
１９  支持杆
２０  茶袋保持台
２１  ネジ（支持軸用）
２２  ネジ（固定具用）
２３  固定具
２４  孔
【図１】
2010200703.tif 000003
【図２】
2010200703.tif 000004
【図３】
2010200703.tif 000005
【図４】
2010200703.tif 000006
【図５】
2010200703.tif 000007
【図６】
2010200703.tif 000008
【図７】
2010200703.tif 000009
【図８】
2010200703.tif 000010